(57)【要約】【課題】簡易な構成で、固定コンタクトの固定接点に対する可動コンタクトの電気的な接続性を良好に維持することを可能とする。【解決手段】一対のコンタクト部材１２，１３の導通部１２Ｓ，１３Ｓが互いに接触・離間するコンタクト可動空間１１ｅの少なくとも一方の端部が、絶縁ハウジング１１の壁面１１ｆにより閉塞状態になされているとともに、その閉塞状態になされているコンタクト可動空間１１ｅの端部から延出しているコンタクト装着部１１ｈの端部に設けられたコンタクト挿入口１１ｋが、絶縁ハウジング１１の配線基板に対向する面に開口していることから、コンタクト可動空間１１ｅの両端部のうちの少なくとも一方が外部と遮断された状態になされ、当該コンタクト装着部１１ｈを通してコンタクト可動空間１１ｅの内部に侵入しようとするゴミ等の塵埃が良好に排除される構成になされたものである。【選択図】図６
2017076499.tif 000002
【特許請求の範囲】
【請求項１】
配線基板上に実装される絶縁ハウジングに、一対のコンタクト部材が互いに対向した状態に配置され、
それらコンタクト部材の対向方向に延在するように前記絶縁ハウジングに形成されたコンタクト可動空間の内部で、前記一対のコンタクト部材の導通部が互いに接触・離間する構成になされたものであって、
前記絶縁ハウジングには、前記コンタクト可動空間から延出して前記絶縁ハウジングの外部に開口する中空通路からなるコンタクト装着部が設けられ、
前記コンタクト装着部を通して前記コンタクト可動空間の内部に前記コンタクト部材が挿入された状態になされる構成を備えたスイッチ付同軸コネクタにおいて、
前記コンタクト可動空間の延在方向における両端部のうちの少なくとも一方が、前記絶縁ハウジングの壁面により閉塞状態になされているとともに、
前記コンタクト装着部が、前記閉塞状態になされた前記コンタクト可動空間の端部から延出するように設けられ、
当該コンタクト装着部の延出側の端部に、前記絶縁ハウジングの外表面であって前記実装時に前記配線基板に対向する面に開口するコンタクト挿入口が設けられていることを特徴とするスイッチ付同軸コネクタ。
【請求項２】
前記一対のコンタクト部材は、弾性変位可能に取り付けられた可動コンタクト部材と、当該可動コンタクト部材が自身の弾性により接触・離間する固定コンタクト部材と、から構成されていることを特徴とする請求項１記載のスイッチ付同軸コネクタ。
【請求項３】
前記コンタクト装着部が、前記可動コンタクト部材が固定状態になされる可動コンタクト装着部と、前記固定コンタクト部材が固定状態になされる固定コンタクト装着部と、からなるものであって、
前記固定コンタクト装着部は、前記絶縁ハウジングの外表面であって前記実装時に前記配線基板に対向する面に開口する固定コンタクト挿入口を有しているとともに、
前記可動コンタクト装着部は、前記実装時に前記配線基板に対して略平行に延在し、前記絶縁ハウジングの外表面であって前記配線基板に対向しない面に開口する可動コンタクト挿入口を有していることを特徴とする請求項２記載のスイッチ付同軸コネクタ。
【請求項４】
前記コンタクト可動空間を形成している前記絶縁ハウジングの内壁面に、前記固定コンタクト部材の導通部に対する位置決め部が形成されていることを特徴とする請求項２記載のスイッチ付同軸コネクタ。
【請求項５】
前記固定コンタクト部材の導通部には、前記可動コンタクト部材の導通部を弾性変位可能に挿通させる貫通穴が形成されていることを特徴とする請求項２記載のスイッチ付同軸コネクタ。
【請求項６】
前記固定コンタクト部材の貫通穴を形成している内周壁面に、前記可動コンタクト部材に対する接点部が形成されていることを特徴とする請求項５記載のスイッチ付同軸コネクタ。
【請求項７】
前記可動コンタクト部材には、前記可動コンタクト装着部の開口部を外部から覆うように塞ぐ舌片が設けられていることを特徴とする請求項２記載のスイッチ付同軸コネクタ。
【発明の詳細な説明】
【技術分野】
【０００１】
本発明は、相手コネクタが嵌合されることによって離間状態になされる一対のコンタクトを備えたスイッチ付同軸コネクタに関する。
【背景技術】
【０００２】
一般に、携帯電話・スマートフォンやタブレット型パソコンなどのような電子機器又は電気機器において、機器内に設けられた高周波回路等の各種電子回路の状態や性能を検査するための小型回路検査スイッチとしてスイッチ付同軸コネクタがしばしば採用されている。例えば、下記の特許文献等に開示された回路検査スイッチは、機器本体の電子回路を分断するように回路基板上に実装されたスイッチ付同軸コネクタからなるものであって、当該スイッチ付同軸コネクタの絶縁ハウジングに形成されたコンタクト可動空間の内部には、信号伝送用の可動コンタクトと固定コンタクトとからなる一対のコンタクト部材が取り付けられている。それら一対のコンタクト部材は、互いの導通部同士が接触・離間するように配置されているとともに、機器本体に設けられた電子回路（図示省略）の一方側及び他方側にそれぞれ接続されている。
【０００３】
そして、絶縁ハウジングに設けられた相手挿入穴を通して、相手コネクタである検査用プラグコネクタのプローブ（検査針）が、上方側からコネクタ内部に挿入されると、当該検査用プラグコネクタのプローブの先端部分は、上下方向に弾性変位可能に設けられた可動コンタクトの自由端部分を押し下げるように圧接する。それによって可動コンタクトの先端部分に設けられた導通部（可動接点）が下方側に揺動し、固定コンタクトの先端部分に設けられた導通部（固定接点）から離間される。その結果、本来の電子回路が分断されると同時に、検査用プラグコネクタのプローブの下端部分に可動コンタクトが接触して機器本体の他の電子回路が導通状態となり、当該プローブを通して電子回路からの電気信号が外部に取り出され、その外部に取り出された電気信号を用いて、例えば所定の検査が実行される。
【０００４】
しかしながら、このような構成を有するスイッチ付同軸コネクタは、上述したように絶縁ハウジングに形成されたコンタクト可動空間の内部にコンタクト装着部を通して可動コンタクト及び固定コンタクトが取り付けられる構造になされているため、コンタクト装着部とコンタクト部材との隙間を通った微細なゴミなどの塵埃が、コンタクト装着部を通してコンタクト可動空間の内部に侵入する虞がある。そして、コンタクト可動空間の内部に塵埃が侵入した場合にあっては、可動コンタクトと固定コンタクトとが接触する導通部同士の間部分に塵埃が噛み込まれるなどによって導通不良の原因になることも考えられ、電気的な接続が良好に行われなくなって接続信頼性の低下を招来するおそれがある。
【先行技術文献】
【特許文献】
【０００５】
【特許文献１】特開２００７-１４１６６５号公報
【発明の概要】
【発明が解決しようとする課題】
【０００６】
そこで本発明は、簡易な構成で、固定コンタクトの固定接点に対する可動コンタクトの電気的な接続性を良好に維持することができるようにしたスイッチ付同軸コネクタを提供することを目的とする。
【課題を解決するための手段】
【０００７】
上記目的を達成するため請求項１にかかる発明では、配線基板上に実装される絶縁ハウジングに、一対のコンタクト部材が互いに対向した状態に配置され、それらコンタクト部材の対向方向に延在するように前記絶縁ハウジングに形成されたコンタクト可動空間の内部で、前記一対のコンタクト部材の導通部が互いに接触・離間する構成になされたものであって、前記絶縁ハウジングには、前記コンタクト可動空間から延出して前記絶縁ハウジングの外部に開口する中空通路からなるコンタクト装着部が設けられ、前記コンタクト装着部を通して前記コンタクト可動空間の内部に前記コンタクト部材が挿入された状態になされる構成を備えたスイッチ付同軸コネクタにおいて、前記コンタクト可動空間の延在方向における両端部のうちの少なくとも一方が、前記絶縁ハウジングの壁面により閉塞状態になされているとともに、前記コンタクト装着部が、前記閉塞状態になされた前記コンタクト可動空間の端部から延出するように設けられ、当該コンタクト装着部の延出側の端部に、前記絶縁ハウジングの外表面であって前記実装時に前記配線基板に対向する面に開口するコンタクト挿入口が設けられた構成になされている。
【０００８】
このような構成を有するスイッチ付同軸コネクタによれば、コンタクト可動空間の両端部のうちの少なくとも一方が、絶縁ハウジングの壁面により基本的に閉塞状態になされているとともに、その閉塞状態になされているコンタクト可動空間の端部から延出しているコンタクト装着部の端部に設けられたコンタクト挿入口が、絶縁ハウジングの配線基板に対向する面に開口していることから、コンタクト可動空間が外部と遮断された状態になされ、当該コンタクト装着部を通してコンタクト可動空間の内部に侵入しようとするゴミ等の塵埃が良好に排除される。
【０００９】
ここで、請求項２にかかる発明のように、前記一対のコンタクト部材は、弾性変位可能に取り付けられた可動コンタクト部材と、当該可動コンタクト部材が自身の弾性により接触・離間する固定コンタクト部材と、から構成されることが可能である。
【００１０】
また、請求項３にかかる発明のように、前記コンタクト装着部が、前記可動コンタクト部材が固定状態になされる可動コンタクト装着部と、前記固定コンタクト部材が固定状態になされる固定コンタクト装着部とからなるものであって、前記固定コンタクト装着部は、前記絶縁ハウジングの外表面であって前記実装時に前記配線基板に対向する面に開口する固定コンタクト挿入口を有しているとともに、前記可動コンタクト装着部は、前記実装時に前記配線基板に対して略平行に延在し、前記絶縁ハウジングの外表面であって前記配線基板に対向しない面に開口する可動コンタクト挿入口を有していることが望ましい。
【００１１】
このような構成を有する構成によれば、固定コンタクト装着部に設けられた固定コンタクト挿入口が配線基板により外部と遮断されることから、当該固定コンタクト装着部の外方開口部である固定コンタクト挿入口を通したコンタクト可動空間へのゴミ等の塵埃の侵入が良好に防止される。
【００１２】
さらに、請求項４にかかる発明のように、前記コンタクト可動空間を形成している前記絶縁ハウジングの内壁面に、前記固定コンタクト部材の導通部に対する位置決め部が形成されていることが望ましい。
【００１３】
このような構成を有する構成によれば、固定コンタクト部材の組み付けが位置決め部によって容易かつ高精度に行われる。
【００１４】
さらにまた、請求項５にかかる発明のように、前記固定コンタクト部材の導通部には、前記可動コンタクト部材の導通部を弾性変位可能に挿通させる貫通穴が形成されていることが望ましい。また、請求項６にかかる発明のように、前記固定コンタクト部材の貫通穴を形成している内周壁面に、前記可動コンタクト部材に対する接点部が形成されていることが望ましい。
【００１５】
このような構成を有する構成によれば、先に取り付けられた固定コンタクト部材の貫通穴を通すようにして可動コンタクト部材が組み付けられるため、固定コンタクト部材及び可動コンタクト部材が、固定コンタクト装着部及び可動コンタクト装着部に沿って容易に組み付けられる。
【００１６】
一方、請求項７にかかる発明のように、前記可動コンタクト部材には、前記可動コンタクト装着部の開口部を外部から覆うように塞ぐ舌片が設けられていることが望ましい。
【００１７】
このような構成を有する構成によれば、可動コンタクト装着部が、舌片により外部と遮断されるため、当該可動コンタクト装着部を通したコンタクト可動空間へのゴミ等の塵埃の侵入が防止される。
【発明の効果】
【００１８】
以上述べたように本発明にかかるスイッチ付同軸コネクタは、一対のコンタクト部材の導通部が互いに接触・離間するコンタクト可動空間の少なくとも一方の端部が、絶縁ハウジングの壁面により閉塞状態になされているとともに、その閉塞状態になされているコンタクト可動空間の端部から延出しているコンタクト装着部の端部に設けられたコンタクト挿入口が、絶縁ハウジングの配線基板に対向する面に開口していることから、コンタクト可動空間の両端部のうちの少なくとも一方が外部と遮断された状態になされ、当該コンタクト装着部を通してコンタクト可動空間の内部に侵入しようとするゴミ等の塵埃が良好に排除される構成になされていることから、簡易な構成で、固定コンタクトの固定接点に対する可動コンタクトの電気的な接続性を良好に維持することができ、スイッチ付同軸コネクタの信頼性を安価かつ大幅に高めることができる。
【図面の簡単な説明】
【００１９】
【図１】本発明の一実施形態にかかる回路検査スイッチを構成しているスイッチ付同軸コネクタの全体構造を左側面上方から見たときの外観斜視説明図である。
【図２】図１に示された本発明の一実施形態にかかるスイッチ付同軸コネクタの全体構造を左側面下方から見たときの外観斜視説明図である。
【図３】図１及び図２に示された本発明の一実施形態にかかるスイッチ付同軸コネクタの全体構造を右側面上方から見たときの外観斜視説明図である。
【図４】図１〜図３に示された本発明の一実施形態にかかるスイッチ付同軸コネクタの全体構造を右側面下方から見たときの外観斜視説明図である。
【図５】図１〜図４に示された本発明の一実施形態にかかるスイッチ付同軸コネクタの全体構造の平面説明図である。
【図６】図５中の VI−VI 線に沿った縦断面説明図である。
【図７】図１〜図６に示された本発明の一実施形態にかかるスイッチ付同軸コネクタの左側面説明図である。
【図８】図１〜図６に示された本発明の一実施形態にかかるスイッチ付同軸コネクタの右側面説明図である。
【図９】図１〜図８に示された本発明の一実施形態にかかるスイッチ付同軸コネクタの分解斜視説明図である。
【図１０】図１〜図９に示された本発明の一実施形態にかかるスイッチ付同軸コネクタに用いられている可動コンタクトを前方側上方から見たときの外観斜視説明図である。
【図１１】図１０に示された可動コンタクトの側面説明図である。
【図１２】図１０及び図１１に示された可動コンタクトの平面説明図である。
【図１３】図１０及び図１１に示された可動コンタクトの底面説明図である。
【図１４】図１０〜図１３に示された可動コンタクトを後方側から見たときの背面説明図である。
【図１５】図１０〜図１３に示された可動コンタクトを前方側から見たときの正面説明図である。
【図１６】図１〜図９に示された本発明の一実施形態にかかるスイッチ付同軸コネクタに用いられている固定コンタクトを後方側上方から見たときの外観斜視説明図である。
【図１７】図１６に示された固定コンタクトの側面説明図である。
【図１８】図１６及び図１７に示された固定コンタクトの平面説明図である。
【図１９】図１６及び図１７に示された固定コンタクトの底面説明図である。
【図２０】図１６〜図１９に示された固定コンタクトを後方側から見たときの背面説明図である。
【図２１】図１６〜図１９に示された固定コンタクトを前方側から見たときの正面説明図である。
【図２２】本発明の一実施形態にかかるスイッチ付同軸コネクタに対して、相手コネクタ（検査用プラグコネクタ）を含む検査用治具を装着した状態を表した外観斜視説明図である。
【発明を実施するための形態】
【００２０】
以下、本発明にかかるスイッチ付同軸コネクタを回路検査スイッチとして採用した実施形態を図面に基づいて詳細に説明する。
【００２１】
［回路検査スイッチの全体構造について］
まず、図１〜図９に示された本発明の一実施形態にかかるスイッチ付同軸コネクタ１０は、図示を省略した印刷配線基板上に実装されるものであって、当該スイッチ付同軸コネクタ１０の上方側に、相手コネクタとしての検査用プラグコネクタ２０（図２２参照）が配置され、作業者の手で把持された状態で検査用プラグコネクタ２０が下方側のスイッチ付同軸コネクタ１０に向かって適宜の力で押し込まれ、それによって両コネクタ１０，２０同士が嵌合された装着状態になされる。
【００２２】
また、そのような両コネクタ１０，２０同士の嵌合装着状態から、検査用プラグコネクタ２０を把持して上方側に適宜の力で引き上げれば、当該検査用プラグコネクタ２０がスイッチ付同軸コネクタ１０から上方に離脱して抜出が行われる。なお、検査用プラグコネクタ２０の挿抜は、作業者の手で行われることに限られることはなく、機械によって自動的に行うようにしてもよい。以下、この検査用プラグコネクタ２０の挿入方向及び抜出方向を、それぞれ「下方向」及び「上方向」とする。また、スイッチ付同軸コネクタ１０が実装される印刷配線基板における実装表面の延在方向を「水平方向」とする。
【００２３】
上述した両コネクタ１０，２０からなる回路検査スイッチ装置の基板実装部分を構成しているスイッチ付同軸コネクタ１０は、携帯電話・スマートフォンやタブレット型パソコン等の電子機器に設けられた電子回路基板（図示省略）上に半田付けにより実装されて使用され、その電子機器に設けられた電子回路を、例えば機器本体側とアンテナ側とを分断又は接続するように配置される。
【００２４】
［絶縁ハウジングについて］
上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面における略中央部分に配置された挿入ガイド部１１ｂと、を一体的に有している。
【００２５】
そのうちの挿入ガイド部１１ｂは、上述したベース枠体部１１ａの上側表面から略円筒状をなして上方に立ち上がるように形成されている。この挿入ガイド部１１ｂの内周側表面は、略すり鉢状をなすように形成されており、当該挿入ガイド部１１ｂの上端縁部分に形成された円環状外縁部から、当該挿入ガイド部１１ｂの中心部分に相手挿入穴として設けられたプローブ挿入穴１１ｃの上方開口部に向かって、斜め下方に延在する傾斜ガイド面１１ｄが形成されている。この傾斜ガイド面１１ｄは、前述した検査用プラグコネクタ２０に設けられたプローブをプローブ挿入穴１１ｃに向かって案内する機能を有するものであって、検査用プラグコネクタ２０のプローブが、プローブ挿入穴１１ｃの真上に配置されていない状態で下方移動された場合であっても、傾斜ガイド面１１ｄの傾斜面上にプローブの先端部が当接されれば、当該プローブの先端部が傾斜ガイド面１１ｄに沿って下方に滑り落ちるように移動され、プローブ挿入穴１１ｃまで円滑に案内されるようになっている。
【００２６】
相手挿入穴として設けられたプローブ挿入穴１１ｃは、上述したように挿入ガイド部１１ｂの上端開口部からベース枠体部１１ａの中心軸に沿って下方に延出しており、絶縁ハウジング１１の正面と背面との間に延在するように設けられたコンタクト可動空間（コンタクト挿入通路）１１ｅに対して上方側から開口するように設けられている。このプローブ挿入穴１１ｃは、後述する一方の可動コンタクト１２の上方位置に上下方向に延在するように設けられており、検査用プラグコネクタ２０のプローブが挿入可能な内径を有する中空円筒状の通路構造をなすように形成されている。また、当該プローブ挿入穴１１ｃの上方開口部の周囲には、上述した挿入ガイド部１１ｂが略同心状をなすように配置されている。
【００２７】
一方、絶縁ハウジング１１のベース枠体部１１ａに設けられたコンタクト可動空間（コンタクト挿入通路）１１ｅは、当該絶縁ハウジング１１の内壁面により囲まれるようにして形成された細長状の中空通路から構成されており、実装が行われる印刷配線基板の表面と平行な方向である「水平方向」にほぼ沿うように延在している。そして、そのコンタクト可動空間１１ｅの延在方向（水平方向）における左方側の端部、すなわち後述する固定コンタクト１３が配置されている側の端部には、絶縁ハウジング１１の内方立壁面１１ｆが設けられており、その絶縁ハウジング１１の内方立壁面１１ｆが、コンタクト可動空間１１ｅの端面を構成するように設けられていることで、当該コンタクト可動空間１１ｅの水平方向の左方側端部が基本的に閉塞状態になされている。
【００２８】
これに対して、上述したコンタクト可動空間１１ｅの延在方向（水平方向）における右方側の端部、すなわち後述する可動コンタクト１２が配置されている側の端部は、水平方向に開放状態になされている。この点については後述する。
【００２９】
一方、このようなコンタクト可動空間１１ｅにおける延在方向の両端部分の各々には、可動コンタクト装着部１１ｇ及び固定コンタクト装着部１１ｈが連設されている。それらの可動コンタクト装着部１１ｇ及び固定コンタクト装着部１１ｈは、後述する可動コンタクト１２及び固定コンタクト１３が挿入可能となるように形成された中空通路からなるものであって、可動コンタクト装着部１１ｇが、コンタクト可動空間１１ｅの右方側の端部から水平方向に延在しているとともに、固定コンタクト装着部１１ｈは、コンタクト可動空間１１ｅの左方側の端部から下方向に延在している。
【００３０】
そして、前述したように水平方向に開放状態になされているコンタクト可動空間１１ｅにおける右方側端部は、同じく水平方向に延在する可動コンタクト装着部１１ｇに連通されており、その可動コンタクト装着部１１ｇの延出端部には、印刷配線基板の実装表面に対面しない面、より具体的には印刷配線基板の実装表面から略垂直に立ち上がる絶縁ハウジング１１の右側面を構成している外方立壁面１１ｉに開口する可動コンタクト挿入口１１ｊが設けられている。
【００３１】
この可動コンタクト装着部１１ｇの可動コンタクト挿入口１１ｊ、及びその可動コンタクト挿入口１１ｊから延出している可動コンタクト装着部１１ｇは、水平方向に細長に延在するスリット状をなすように形成されており、当該スリット状をなす可動コンタクト挿入口１１ｊを通して可動コンタクト装着部１１ｇの内部に、後述する可動コンタクト１２が挿入され、さらにその可動コンタクト装着部１１ｇを通してコンタクト可動空間１１ｅの内部に可動コンタクト１２が装着されるようになっている。
【００３２】
これに対して、前述した内方立壁面１１ｆによって水平方向に閉塞状態になされているコンタクト可動空間１１ｅの左方側端部には、中空通路からなる固定コンタクト装着部１１ｈが連設されている。この固定コンタクト装着部１１ｈは、前記コンタクト可動空間１１ｅを形成している絶縁ハウジング１１の底壁面に開口しているが、当該中空通路からなる固定コンタクト装着部１１ｈの開口部は、コンタクト可動空間１１ｅの通路幅方向に細長に延在するスリット状をなすように形成されている。
【００３３】
このような固定コンタクト装着部１１ｈは、上述したコンタクト可動空間１１ｅの底面開口部から細長スリット状の断面形状を維持しながら下方に向かって延出しており、絶縁ハウジング１１の底面部、すなわちスイッチ付同軸コネクタ１０の実装が行われた際に印刷配線基板の表面に対面する面に、下端開口部としての固定コンタクト挿入口１１ｋを有している。
【００３４】
そして、その固定コンタクト挿入口１１ｋを通して後述する固定コンタクト１３が挿入され、当該固定コンタクト挿入口１１ｋから挿入された固定コンタクト１３は、固定コンタクト装着部１１ｈを通してコンタクト可動空間１１ｅの内部に装着されるようになっている。このとき、上述した固定コンタクト装着部１１ｈの下端開口部である固定コンタクト挿入口１１ｋは、スイッチ付同軸コネクタ１０の実装が行われた際に、印刷配線基板の表面に対面するように配置されることから、実質的には閉塞状態になされる。
【００３５】
［コンタクト部材について］
上述したような可動コンタクト挿入口１１ｊ及び固定コンタクト挿入口１１ｋから可動コンタクト装着部１１ｇ及び固定コンタクト装着部１１ｈを通してコンタクト可動空間１１ｅの内部に挿入された可動コンタクト１２及び固定コンタクト１３は、後述するようにして固定状態になされるが、そのうちの可動コンタクト１２は、前述した可動コンタクト装着部１１ｇを通して水平方向に挿入され、また固定コンタクト１３は、固定コンタクト装着部１１ｈを通して上方向に挿入される。
【００３６】
このようにしてコンタクト可動空間１１ｅの内部に挿入された可動コンタクト１２及び固定コンタクト１３は、前述した検査用プラグコネクタ（相手コネクタ）２０の挿入・抜去の方向（上下方向）に対して略直交する水平方向に互いに対向するように配置されている。
【００３７】
ここで、以下においては、可動コンタクト１２及び固定コンタクト１３同士が対向する方向を「コンタクト対向方向」と呼び、また、各々のコンタクト１２，１３自身の説明においては、相手側のコンタクトに向かっている方向を「前方」、その反対方向を「後方」とする。
【００３８】
上述した可動コンタクト１２及び固定コンタクト１３は、いわゆるコンタクト対を構成するものであるが、後述するように可動コンタクト１２の前端部分に設けられた可動側導通部（接点部）１２Ｓは、当該可動コンタクト１２自身の弾性力によって、固定コンタクト１３の上端部分に設けられた固定側導通部（接点部）１３Ｓに対して弾性的に接触する状態に配置されている。このような両コンタクト１２，１３同士の接触状態は、検査用プラグコネクタ（相手コネクタ）２０の嵌合によって解除され、そのときに両コンタクト１２，１３同士は離間状態になされる。
【００３９】
[可動コンタクト部材について]
これらの両コンタクト１２，１３のうちの可動コンタクト１２は、特に図１０〜図１５に示されているように、「上下方向」の可撓性を有するように延在する弾性ビーム状部材１２ａを有している。その可動コンタクト１２に設けられた弾性ビーム状部材１２ａは、後述するように絶縁ハウジング１１に対して固定状態となるように保持された固定基板１２ｂから、コンタクト対向方向である前方に向かって片持ち状に延出している。この弾性ビーム状部材１２ａの根元部分を構成している固定基板１２ｂは、略水平に延在する板状部材から形成されており、その固定基板１２ｂの両側縁部、すなわち「コンタクト対向方向」及び「上下方向」の双方と直交する「板幅方向」の両端部からは、絶縁ハウジング１１に対する固定部としての固定延設片１２ｃが、両側外方に向かって略水平に延出している。
【００４０】
一方、可動コンタクト１２の弾性ビーム状部材１２ａは、前方に向かって片持ち状をなして突出する帯板状のバネ部材から形成されている。すなわち、当該可動コンタクト１２の弾性ビーム状部材１２ａは、略水平に延在する固定基板１２ｂの前端縁部から一体的に連続しており、前方側である相手側の固定コンタクト１３の固定基板１３ａに向かって斜め上方に直線状に延出するように形成されている。
【００４１】
また、上述した可動コンタクト部材１２の固定延設片１２ｃは、固定基板１２ｂの両側外方において、弾性ビーム状部材１２ａに沿うようにして前後方向に略水平に突出するように形成されており、絶縁ハウジング１１の壁面に溝状をなすように凹設された固定溝部に対して圧入されている。そして、それらの固定延設片１２ｃの絶縁ハウジング１１に対する係合力によって、可動コンタクト１２全体の保持が行われる構成になされている。
【００４２】
このように本実施形態においては、可動コンタクト部材１２の固定基部１２ｂを保持する固定延設片１２ｃが、固定基部１２ｂの両側において弾性ビーム状部材１２ａの長手方向に突出するように形成されていることから、当該固定延設片１２ｃの固定力で固定基部１２ｂが強固に支持されることとなり、弾性ビーム状部材１２ａの後述する弾性変位及び保持性に対する支持力が高められていることによって、弾性ビーム状部材１２ａの全体が、より安定的に保持されて接点部の機能が良好に維持されるようになっている。
【００４３】
また、各固定延設片１２ｃが固定基板１２ｂと連結されている両部材同士の連結境界部分には、コンタクト対向方向に沿って延在する切欠き部１２ｄが、それぞれ形成されている。それらの切欠き部１２ｄは、平面略Ｕ字形状をなす細幅の溝形状をなすように形成されていて、弾性ビーム状部材１２ａの根本部分を前方側及び後方側から後方側及び前方側に向かって所定の長さだけ切り込むようにして形成されている。
【００４４】
これらの弾性ビーム状部材１２ａに設けられた前方側の切欠き部１２ｄは、片持ち状をなす弾性ビーム状部材１２ａの根本位置を決定している。すなわち、当該弾性ビーム状部材１２ａは、前方側に設けられた切欠き部１２ｄにおける奥側（後端側）の溝端を起点として、固定基板１２ｂから前方側（相手コンタクト側）に向かって片持ち状をなして一体的に延出しており、前方側の切欠き部１２ｄの溝端と、後方側の切欠き部１２ｄの溝端との間部分が、固定基板１２ｂの前後方向における中実肉厚領域になされている。
【００４５】
この可動コンタクト１２側の固定基板１２ｂを構成している中実肉厚領域の前後方向における寸法は、上述した検査用プラグコネクタ（相手コネクタ）２０の押圧力に抗して可動コンタクト１２の全体を良好に保持可能とする剛性を備えるように決定されている。
【００４６】
また、前述したように本実施形態における可動コンタクト１２の弾性ビーム状部材１２ａは、前方側の切欠き部１２ｄにおける奥側（後端側）の溝端を起点として相手側の固定コンタクト１３側に片持ち状に延出する構成になされているが、その片持ち状部材からなる弾性ビーム状部材１２ａの延出起点である溝端の位置に対して、当該弾性ビーム状部材１２ａが、十分な弾性を備える程度のスパン長を有するように構成されている。
【００４７】
すなわち、前方側切欠き部１２ｄの溝端から片持ち状に延出している弾性ビーム状部材１２ａは、前方側の切欠き部１２ｄの溝端から当該弾性ビーム状部材１２ａの先端部に至るまでの片持ちのスパン長が、上述した固定基板１２ｂによって実質的に拡大された構成になされている。より具体的に説明すると、可動コンタクト１２の弾性ビーム状部材１２ａにおいては、上述した固定基板１２ｂの前端部との連結部分、つまり切欠き部１２ｄの奥側（後端側）溝端を起点として片持ち状に延出している根本部分から相手側の固定コンタクト１３側に向かって上方に傾斜しながら直線状に延出する構成になされている。
【００４８】
このような弾性ビーム状部材１２ａの全体は、固定基板１２ｂとの連結部分、より具体的には片持ち構造の起点である切欠き部１２ｄの奥側（後端側）溝端又はその近傍を支点とした弾性的な可撓性を有し、前記支点を中心とした「上下方向」に揺動可能な構成になされている。
【００４９】
さらに、上述した可動コンタクト部材１２の固定基板１２ｂにおいて、弾性ビーム状部材１２ａが突出している端縁部と反対側の端縁部分、すなわち可動コンタクト１２の固定基板１２ｂにおける後端縁部分においては、当該固定基板１２ｂの板幅方向の両側部分が、上述した固定延設片１２ｃから連続するようにして下方側に向かって略直角に折り曲げ形成されている。その固定基板１２ｂの板幅方向の両側部分に２箇所にわたって設けられた略直角下方折り曲げ部分の下端部分からは、同じく板状をなす２体の基板接続部１２ｅ，１２ｅが、コネクタ対向方向である前方側に向かって略水平に延出している。これらの各基板接続部１２ｅは、印刷配線基板（図示省略）の導電路に合わせた幅法を有するように形成されている。
【００５０】
このような可動コンタクト１２の弾性ビーム状部材１２ａは、前述したプローブ挿入穴１１ｃの直下位置に延在するように配置されており、当該プローブ挿入穴１１ｃの下端開口部が、弾性ビーム状部材１２ａの途中部分に上方側から臨む位置関係になされている。そして、図２０に示されているように、スイッチ付同軸コネクタ１０の上方位置に検査用プラグコネクタ（相手コネクタ）２０が配置されて、当該検査用プラグコネクタ２０のプローブが、スイッチ付同軸コネクタ１０のプローブ挿入穴１１ｃを通してコネクタ内部に挿入されてくると、プローブ挿入穴１１ｃから下方に突出したプローブが、可動コンタクト１２の弾性ビーム状部材１２ａの途中部分に上方側から当接する。その後、さらに検査用プラグコネクタ２０が下方に押し下げられると、可動コンタクト１２の弾性ビーム状部材１２ａに設けられた可動側導通部（接点部）１２Ｓが、プローブの押圧力によって下方側に揺動するように撓み、後述する固定コンタクト１３の固定基板１３ａに設けられた固定側導通部（接点部）１３Ｓから下方に離間されるようになっている。
【００５１】
このとき、可動コンタクト１２の弾性ビーム状部材１２ａの途中位置、すなわち検査用プラグコネクタ２０のプローブが当接する位置には、当該検査用プラグコネクタ２０のプローブが上方側から接触する接触貫通穴１２ａ１がスリット状をなすように形成されている。この接触貫通穴１２ａ１は、弾性ビーム状部材１２ａの長手方向に沿って細長状に延在する長穴から形成されており、上述したプローブ挿入穴１１ｃの直下位置から前後方向に延在するように設けられている。
【００５２】
このように可動コンタクト１２の弾性ビーム状部材１２ａに接触貫通穴１２ａ１を設けておけば、検査用プラグコネクタ（相手コネクタ）２０が嵌合されていないときに開放状態にあるプローブ挿入穴（相手挿入穴）１１ｃを通して内部に進入するゴミ等の塵埃が、特に弾性ビーム状部材１２ａの傾斜面に沿って下方に案内されていき、接触貫通穴１２ａ１を通して下方に落下することにより接点部分の外方側に排出される。その結果、可動コンタクト１２や固定コンタクト１３の上に塵埃が蓄積することがなくなり、可動コンタクト１２と固定コンタクト１３との電気的な導通性が塵埃により妨げられるおそれが低減される。
【００５３】
また、上述した接触貫通穴１２ａ１の開口縁部には、検査用プラグコネクタ（相手コネクタ）２０のプローブに接触する傾斜面が設けられており、当該接触貫通穴１２ａ１の開口縁部が、検査用プラグコネクタ２０のプローブの先端側部分に形成された湾曲面に対して略接線方向に接触して、当該接触貫通穴１２ａ１の対角線方向の両側からプローブと多点的に当接されるようになっている。
【００５４】
このときの可動コンタクト１２は、前述したように絶縁ハウジング１１に形成されたコンタクト可動空間１１ｅの内部に収容されるようにして取り付けられているが、上述した固定基板１２ｂの後端縁部から後方側の斜め上方に向かって延出する後端舌片１２ｆの延出端部が、コンタクト可動空間１１ｅの内壁面に対して近接又は接触するように配置されている。
【００５５】
すなわち、前述した可動コンタクト１２の弾性ビーム状部材１２ａ及び固定基板１２ｂは、絶縁ハウジング１１に設けられた可動コンタクト装着部１１ｇ及びコンタクト可動空間１１ｅの通路幅に合わせた板幅寸法を備えており、それらの弾性ビーム状部材１２ａ及び固定基板１２ｂが、コンタクト可動空間１１ｅ及び可動コンタクト装着部１１ｇの内壁面に近接した状態に配置されることで、コンタクト可動空間１１ｅ及び可動コンタクト装着部１１ｇの内方領域にゴミ等の塵埃が侵入することを防止する構成になされている。
【００５６】
また、上述したコンタクト可動空間１１ｅに連通している可動コンタクト装着部１１ｇの後端部は、絶縁ハウジング１１の外端面に開口部を有しているが、その可動コンタクト装着部１１ｇの後端開口部は、上述した後端舌片１２ｆに対応した形状になされている。そして、その可動コンタクト装着部１１ｇの後端開口部を、可動コンタクト１２の後端舌片１２ｆが閉塞するように配置されていることによって、コンタクト可動空間１１ｅの内部に外部から侵入しようとするゴミ等の塵埃が後端舌片１２ｆで堰き止められることとなり、その結果、後述する固定側導通部（接点部）１３Ｓと可動側導通部（接点部）１２Ｓとの接点機能が良好に維持されるようになっている。
【００５７】
[固定コンタクト部材について]
一方、固定コンタクト１３は、略不動の状態で延在する固定基板１３ａを有しているが、その固定コンタクト１３の固定基板１３ａは、「コンタクト対向方向」と直交する上下方向に延在するように配置されている。この固定コンタクト１３の固定基板１３ａは、上下方向に延在する板状部材から形成されており、当該固定基板１３ａの両側縁部、すなわち「コンタクト対向方向」及び「上下方向」の双方と直交する「板幅方向」の両端縁部分には、絶縁ハウジング１１に対する固定部としての固定係止片１３ｂが、外方に向かって凹凸形状をなすように形成されている。
【００５８】
この固定コンタクト部材１３に設けられた固定係止片１３ｂは、前述した固定基板１３ａの両側縁部に沿って上下方向（鉛直方向）に並列するように形成されており、絶縁ハウジング１１に溝状をなすように凹設された固定溝部（図示省略）に圧入されて係合状態になされている。そして、これらの固定係止片１３ｂによる絶縁ハウジング１１に対する係合力によって、固定コンタクト１３全体の保持が行われる構成になされている。
【００５９】
また、固定コンタクト部材１３の固定基板１３ａの下端部分からは、コネクタ対向方向である前方側に向かって、板状をなす基板接続部１３ｅが略水平に延出している。そして、この基板接続部１３ｅの下面が、上述した印刷配線基板（図示省略）上に設けられた信号伝送用の導電路に半田接合されることで実装が行われるようになっている。
【００６０】
この固定コンタクト１３に設けられた固定基板１３ａは、絶縁ハウジング１１に設けられた固定コンタクト装着部１１ｈの通路幅に合わせた板幅寸法を備えており、その固定基板１３ａが、固定コンタクト装着部１１ｈの内壁面に近接配置されることで、固定コンタクト装着部１１ｈ及びコンタクト可動空間１１ｅの内方領域にゴミ等の塵埃が侵入することを防止する構成になされている。また、その固定基板１３ａから延出している基板接続部１３ｅは、各々、印刷配線基板（図示省略）の導電路に合わせた幅法を有するように形成されている。
【００６１】
一方、前述した固定コンタクト１３の固定基板１３ａは、上述したように印刷配線基板（図示省略）に半田接合される基板接続部１３ｅの根元部分から上方に向かって延出している。この固定コンタクト１３の固定基板１３ａは、特に図１６〜図２１に示されているように、基板接続部１３ｅよりも幅広をなす板状部材から形成されており、その固定基板１３ａの板幅方向が、コンタクト対向方向に対して略直交する方向に設定された状態で取付けが行われる。
【００６２】
すなわち、当該固定基板１３ａが挿入される固定コンタクト装着部１１ｈも、コンタクト対向方向に対して略直交する方向に細長スリット状に延在するように形成されており、その細長スリット状の固定コンタクト装着部１１ｈの下端開口部から内部に挿入された固定コンタクト１３の固定基板１３ａが、その固定コンタクト装着部１１ｈを上方に通過してコンタクト可動空間１１ｅの内部に露出した状態に配置されるようになっている。
【００６３】
このような固定コンタクト１３の固定基板１３ａの取付けが行われるにあたっては、コンタクト可動空間１１ｅを構成している絶縁ハウジング１１の内側壁面の天井面に設けられた位置決め部１１ｍに対して、固定基板１３ａの上端縁部分が挿入される構成になされている。その位置決め部１１ｍは、絶縁ハウジング１１の内側壁面の天井面であって、前記固定コンタクト装着部１１ｈに対向する位置に凹溝状をなすように形成されており、固定コンタクト装着部１１ｈを通して挿入されて来た固定コンタクト１３の固定基板１３ａの上端縁部分が、当該位置決め部１１ｍの内部に嵌り込むことによって、固定基板１３ａが予定された位置に装着されるようになっている。
【００６４】
また、固定コンタクト１３に設けられた固定基板１３ａには、略矩形状の開口形状を有する貫通穴１３ｃが設けられており、当該貫通穴１３ｃの内方側空間に、上述した可動コンタクト１２の弾性ビーム状部材１２ａの先端部分が、コンタクト対向方向に貫通するように配置される構成になされている。
【００６５】
この固定コンタクト１３の固定基板１３ａに設けられた貫通穴１３ｃは、伝送信号の導通部をなすように形成されており、当該貫通穴１３ｃの内方側空間を形成している四辺の内周端縁部のうちの上方側端縁部には、前述した可動コンタクト１２の弾性ビーム状部材１２ａの先端部分に設けられた可動側導通部（接点部）１２Ｓが接触する固定側導通部（接点部）１３Ｓが設けられている。
【００６６】
その固定コンタクト１３に設けられた固定側導通部（接点部）１３Ｓは、上述した貫通穴１３ｃの上方側端縁部から下方に向かって尖塔形状をなして突出する二体の突起片から形成されており、それら二体の固定側導通部（接点部）１３Ｓに対して、貫通穴１３ｃの内方側空間に挿通された可動コンタクト１２の可動側導通部（接点部）１２Ｓが、固定側導通部（接点部）１３Ｓの下方側に配置され、弾性ビーム状部材１２ａの弾性力によって可動側導通部（接点部）１２Ｓが上方に押し上げられることによって接触状態に維持される構成になされている。
【００６７】
［導電性シェルについて］
一方、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａが平面略矩形状をなすように形成されている。
【００６８】
その導電性シェル１４における略矩形状をなす上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ（相手コネクタ）２０の導電性シェルに設けられた係合突部（図示省略）が嵌め込まれ、それによってスイッチ付同軸コネクタ１０に検査用プラグコネクタ２０が適宜の嵌合力で連結された状態に維持されるようになっている。
【００６９】
また、上述した導電性シェル１４の上面基板１４ａにおける略矩形状の四隅部分には、下方に向かって垂れ下がるように延在する基板接続部１４ｄがそれぞれ連設されている。それらの各基板接続部１４ｄの下端部から、コネクタ内方に向かって略水平に突出する水平壁面からなる半田接合片１４ｆが連設されている。
【００７０】
それら４体の基板接続部１４ｄの先端部分を形成している半田接合片１４ｆのうち、上述したコンタクト対向方向に隣接する２体の半田接合片１４ｆ，１４ｆ同士は、一体的に連結されており、各基板接続部１４ｄが、図示を省略した配線基板上のグランド用導電路に半田接合されることによって、グランド接続が行われるとともに、スイッチ付同軸コネクタ１０の全体の保持が行われるようになっている。
【００７１】
このような構成を有する本実施形態にかかるスイッチ付同軸コネクタによれば、コンタクト可動空間１１ｅの固定コンタクト１３が配置されている側の端部が、絶縁ハウジング１１の内方立壁面１１ｆを介して基本的に閉塞状態になされているとともに、そのコンタクト可動空間１１ｅにおける閉塞側の底壁面から下方に延出している固定コンタクト装着部１１ｈの下端開口部が、実装時に印刷配線基板の表面に対面することによって、実質的に閉塞状態になされている。従って、コンタクト可動空間１１ｅの固定コンタクト１３が配置されている側の端部は、外部と遮断された状態になされていることから、コンタクト装着部１１ｈからコンタクト可動空間１１ｅの内部に至る経路を通したゴミ等の塵埃の侵入が良好に防止されるようになっている。
【００７２】
また、本実施形態における可動コンタクト部材１２には、前記可動コンタクト装着部１１ｇの開口部を外部から覆うように塞ぐ後端舌片１２ｆが設けられていることから、可動コンタクト装着部１１ｇが後端舌片１２ｆにより外部と遮断されることとなり、当該可動コンタクト装着部１１ｇを通したコンタクト可動空間１１ｅへのゴミ等の塵埃の侵入が、さらに良好に防止されるようになっている。
【００７３】
さらに、本実施形態におけるコンタクト可動空間１１ｅを形成している絶縁ハウジング１１の天井側の内壁面には、固定コンタクト部材１３の導通部である固定側導通部（接点部）１３Ｓに対する位置決め部１１ｍが形成されていることから、固定コンタクト部材１３の組み付けが容易かつ高精度に行われるようになっている。
【００７４】
さらにまた、本実施形態における固定コンタクト部材１３の導通部である固定側導通部（接点部）１３Ｓには、可動コンタクト部材１２の導通部である可動側導通部（接点部）１２Ｓを弾性変位可能に挿通させる貫通穴１３ｃが形成されており、加えて固定コンタクト部材１３の貫通穴１３ｃを形成している内周壁面には、可動コンタクト部材１２に対する固定側導通部（接点部）１３Ｓが形成されていることから、可動コンタクト部材１２及び固定コンタクト部材１３を組み付けるにあたって、先に組み付けられた固定コンタクト部材１３の貫通穴１３ｃ対して可動コンタクト部材１２の先端部分を貫通させるようにして可動コンタクト部材１２が組み付けられる。その結果、可動コンタクト装着部１１ｇ及び固定コンタクト装着部１１ｈに沿って、可動コンタクト部材１２及び固定コンタクト部材１３を容易に組み付けることが可能となる。
【００７５】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００７６】
例えば、上述した実施形態においては、コンタクト可動空間１１ｅの延在方向の両端部のうち、固定コンタクト１３が配置されている側の端部のみが絶縁ハウジング１１の壁面により閉塞状態になされているが、可動コンタクト部材１２が配置されている側の端部も同様に絶縁ハウジング１１の壁面により閉塞状態とすることが可能である。
【００７７】
さらに、本発明は、上述した実施形態のような回路検査スイッチ以外の用途に用いられるスイッチ付同軸コネクタに対しても同様に適用可能である。
【産業上の利用可能性】
【００７８】
以上のように本発明は、各種電子・電気機器に使用される多種多様なスイッチ付同軸コネクタに対して広く適用することが可能である。
【符号の説明】
【００７９】
１０  スイッチ付同軸コネクタ
１１  絶縁ハウジング
１１ａ  ベース枠体部
１１ｂ  挿入ガイド部
１１ｃ  プローブ挿入穴（相手挿入穴）
１１ｄ  傾斜ガイド面
１１ｅ  コンタクト可動空間
１１ｆ  内方立壁面
１１ｇ  可動コンタクト装着部
１１ｈ  固定コンタクト装着部
１１ｉ  外方立壁面
１１ｊ  可動コンタクト挿入口
１１ｋ  固定コンタクト挿入口
１１ｍ  位置決め部
１２  可動コンタクト
１２ａ  弾性ビーム状部材
１２ａ１  接触貫通穴
１２ｂ  固定基板
１２ｃ  固定延設片
１２ｄ  切欠き部
１２ｅ  基板接続部
１２ｆ  後端舌片
１２Ｓ  可動側導通部（接点部）
１３  固定コンタクト
１３ａ  固定基板
１３ｂ  固定係止片
１３ｃ  貫通穴
１３ｅ  基板接続部
１３Ｓ  固定側導通部（接点部）
１４  導電性シェル
１４ａ  上面基板
１４ｂ  グランド端子部
１４ｃ  固定係止溝
１４ｄ  基板接続部
１４ｆ  半田接合片
２０  検査用プラグコネクタ（相手コネクタ）
【図１】
2017076499.tif 000003
【図２】
2017076499.tif 000004
【図３】
2017076499.tif 000005
【図４】
2017076499.tif 000006
【図５】
2017076499.tif 000007
【図６】
2017076499.tif 000008
【図７】
2017076499.tif 000009
【図８】
2017076499.tif 000010
【図９】
2017076499.tif 000011
【図１０】
2017076499.tif 000012
【図１１】
2017076499.tif 000013
【図１２】
2017076499.tif 000014
【図１３】
2017076499.tif 000015
【図１４】
2017076499.tif 000016
【図１５】
2017076499.tif 000017
【図１６】
2017076499.tif 000018
【図１７】
2017076499.tif 000019
【図１８】
2017076499.tif 000020
【図１９】
2017076499.tif 000021
【図２０】
2017076499.tif 000022
【図２１】
2017076499.tif 000023
【図２２】
2017076499.tif 000024